(57)【要約】      （修正有）【課題】暗所での構造物の視認性を高めることのできるＬＥＤ照明装置、及びＬＥＤ照明システムを提供する。【解決手段】シート状のＬＥＤ照明装置１０は、平面Ｌ字形の基板と、基板の表面に配置された複数のＬＥＤ１１と、複数のＬＥＤ１１に電力を供給する供給路１２と、複数のＬＥＤ及び供給路を被覆する透明樹脂とを含み、少なくとも二箇所Ｐ１、Ｐ２で折り曲げ可能である。【選択図】図１
0003220522.tif 000002
【実用新案登録請求の範囲】
【請求項１】
シート状のＬＥＤ照明装置であって、
平面Ｌ字形の基板と、
前記基板の表面に配置された複数のＬＥＤと、
前記複数のＬＥＤに電力を供給する供給路と、
前記複数のＬＥＤ及び前記供給路を被覆する透明樹脂と、
を含み、
少なくとも二箇所で折り曲げ可能である
ＬＥＤ照明装置。
【請求項２】
前記少なくとも二箇所での折り曲げによって形成され、構造物のコーナーをなす三面に取り付けられる、少なくとも三つの部分を含む
請求項１に記載のＬＥＤ照明装置。
【請求項３】
前記少なくとも三つの部分は、前記構造物である高所作業車の作業床の下部のコーナーをなす前記三面のうちの第１の面に取り付けられる第１の部分と、前記三面のうちの第２の面に取り付けられる第２の部分と、前記三面のうちの第３の面に取り付けられる第３の部分とを含む
請求項２に記載のＬＥＤ照明装置。
【請求項４】
前記供給路と接続され、電力の受電及び前記ＬＥＤ照明装置と直列接続された他のＬＥＤ照明装置への給電に使用可能な少なくとも二つの端子をさらに含む、
請求項１から３のいずれか一項に記載のＬＥＤ照明装置。
【請求項５】
直列接続された複数のＬＥＤ照明装置と、
前記複数のＬＥＤ照明装置のうち、端部に位置する第１及び第２のＬＥＤ照明装置のそれぞれに設けられた電力供給用の端子と、を含み、
前記複数のＬＥＤ照明装置のそれぞれは、
平面Ｌ字形の基板と、
前記基板の表面に配置された複数のＬＥＤと、
前記複数のＬＥＤに電力を供給する供給路と、
前記ＬＥＤ及び供給路を被覆する透明樹脂と、
を含むシート状に形成されているとともに、少なくとも二箇所で折り曲げ可能である、
ＬＥＤ照明システム。
【請求項６】
前記複数のＬＥＤ照明装置のうち、前記第１及び第２のＬＥＤ照明装置の一方と接続されるコントローラをさらに含み、
前記コントローラは、前記複数のＬＥＤの点滅と、前記複数のＬＥＤの輝度との少なくとも一方を制御するための操作部を含む
請求項５に記載のＬＥＤ照明システム。
【請求項７】
前記複数のＬＥＤ照明装置として、高所作業車の作業床の下部のコーナーの数に対応する数のＬＥＤ照明装置を備える
請求項５又は６に記載のＬＥＤ照明システム。
【考案の詳細な説明】
【技術分野】
【０００１】
本考案は、ＬＥＤ（Light Emitting Diode）照明装置、及びＬＥＤ照明システムに関する。
【背景技術】
【０００２】
高速道路の照明器具等の、高所に設置された設備の点検・修理の際に、高所作業車が使用される。高所作業車は、プラットホーム、バスケット、バケット、ボックスなどと呼ばれる作業床を有し、作業床にブームが取り付けられ、ブームの伸縮等によって作業床を昇降させるようになっている。
【考案の概要】
【考案が解決しようとする課題】
【０００３】
高所作業を用いた夜間作業では、現場が暗く、上昇させた作業床がどこにあるのか視認するのが困難となることがあった。一般に、作業床は、底面形状が矩形に形成される。このため、暗所での作業床の視認作業では、下方から作業床に照明を当てて、各コーナーを視認したり、作業床の底面に設けられた反射板を照らしたりすることで、視認作業を行っていた。
【０００４】
このような、作業床に照明をあてるといった作業は繁雑であった。また、作業床を底面方向だけでなく、側面からも視認したい、との要請があったが、そのような要請に応えるものはなかった。
【０００５】
本考案は、上記問題に鑑みなされたものであり、暗所での構造物の視認性を高めることのできるＬＥＤ照明装置、及びＬＥＤ照明システムを提供することを目的とする。
【課題を解決するための手段】
【０００６】
本考案の態様の一つは、構造物に取り付けられるシート状のＬＥＤ照明装置である。このＬＥＤ照明装置は、
平面Ｌ字形の基板と、
前記基板の表面に配置された複数のＬＥＤと、
前記複数のＬＥＤに電力を供給する供給路と、
前記ＬＥＤ及び前記供給路を被覆する透明樹脂と、を含み、
少なくとも二箇所で折り曲げ可能であることを特徴とする。
【０００７】
また、本項案の他の態様は、ＬＥＤ照明システムである。このＬＥＤ照明システムは、
直列接続され、それぞれ構造物に取り付けられる複数のＬＥＤ照明装置と、
前記複数のＬＥＤ照明装置のうち、端部に位置する第１及び第２のＬＥＤ照明装置のそれぞれに設けられた電力供給用の端子と、を含む。
前記複数のＬＥＤ照明装置のそれぞれは、
平面Ｌ字形の基板と、
前記基板の表面に配置された複数のＬＥＤと、
前記複数のＬＥＤに電力を供給する供給路と、
前記ＬＥＤ及び供給路を被覆する透明樹脂と、
を含むシート状に形成されているとともに、少なくとも二箇所で折り曲げ可能である。
【考案の効果】
【０００８】
本考案によれば、暗所での構造物の視認性を高めることができる。
【図面の簡単な説明】
【０００９】
【図１】図１は、実施形態に係るＬＥＤ照明装置の平面図を示す。
【図２】図２は、図１において破線で囲んだ部分ＯをＬＥＤ照明装置の厚み方向で切断した場合の様子を示す。
【図３】図３は、ＬＥＤ照明装置１０を用いた、ＬＥＤ照明システムの一例を示す。
【図４】図４は、ＬＥＤ照明システムの使用例の説明図である。
【考案を実施するための形態】
【００１０】
以下の実施形態では、以下のような、構造物に取り付けられるシート状のＬＥＤ照明装置について説明する。
（ａ）平面Ｌ字形の基板と、基板の表面側に配置された複数のＬＥＤと、複数のＬＥＤに電力を供給する供給路と、ＬＥＤ及び供給路を被覆する透明樹脂と、を含む。
（ｂ）少なくとも二箇所で折り曲げ可能である。
【００１１】
二箇所で折り曲げ可能であることにより、構造物が有する異なる三面にＬＥＤ照明装置の折り曲げによって形成された各部分を取り付けて、ＬＥＤを点灯乃至点滅させることで、構造物の各面の存在を看者（視認者）に認識させることができる。これによって、暗所での構造物の視認性を高めることができる。
【００１２】
上記のＬＥＤ照明装置について、少なくとも二箇所での折り曲げによって形成され、構造物のコーナーをなす三面に取り付けられる、少なくとも三つの部分を含む構成を採用してもよい。構造物のコーナーは、例えば、直交する三つの平面によって形成されるが、各面の交わる角度は必ずしも直角でなくてもよい。また、一つの平面に曲面が交わっている場合も含む。
【００１３】
また、上記の少なくとも三つの部分は、構造物である高所作業車の作業床の下部のコーナーをなす三面のうちの第１の面に取り付けられる第１の部分と、三面のうちの第２の面に取り付けられる第２の部分と、三面のうちの第３の面に取り付けられる第３の部分とを含む構成を採用してもよい。
【００１４】
構造物は、例えば高所作業車の作業床であるが、これに限定されない。高所作業車の作業床は、人及び荷を載せる装置であり、例えば、プラットホーム、バスケット、バケットなどを含む。プラットホームは、床に手すりを取り付けたものであり、バスケットは、床及び囲いが籠状のものであり、バケットは、床及び囲いを一体構造にしたものであり、「ボックス」とも呼ばれる。作業床は、高所作業車に設けられたブームの先端に取り付けられ、ブームの起伏や伸縮などによって昇降する。
【００１５】
また、上記のＬＥＤ照明装置について、供給路と接続され、電力の受電及びＬＥＤ照明装置と直列接続された他のＬＥＤ照明装置への給電に使用可能な少なくとも２つの端子をさらに含む、構成を採用してもよい。
【００１６】
また、実施形態では、以下のようなＬＥＤ照明システムについて説明する。
（Ａ）直列接続され、それぞれ構造物に取り付けられる複数のＬＥＤ照明装置と、複数のＬＥＤ照明装置のうち、端部に位置する第１及び第２のＬＥＤ照明装置のそれぞれに設けられた電力供給用の端子と、を含む。
（Ｂ）複数のＬＥＤ照明装置のそれぞれは、平面Ｌ字形の基板と、基板の表面側に配列された複数のＬＥＤと、複数のＬＥＤに電力を供給する供給路と、ＬＥＤ及び供給路を被覆する透明樹脂と、を含むシート状に形成されているとともに、少なくとも二箇所で折り曲げ可能である。
【００１７】
上記のＬＥＤ照明システムについて、複数のＬＥＤ照明装置のうち、前記第１及び第２のＬＥＤ照明装置の一方と接続されるコントローラをさらに含み、コントローラは、複数のＬＥＤの点滅と、複数のＬＥＤの輝度との少なくとも一方を制御するための操作部を含む、構成を採用してもよい。
【００１８】
以下、本考案の実施形態を図面を参照して説明する。なお、実施形態の構成は例示であり、本考案は実施形態の構成に限定されない。
【００１９】
＜ＬＥＤ照明装置の構成＞
図１は、実施形態に係るＬＥＤ照明装置の平面図を示す。図２は、図１において破線で囲んだ部分ＯをＬＥＤ照明装置の厚み方向で切断した場合の様子を示す。図１及び図２に示すように、ＬＥＤ照明装置１０は、横方向（Ｘ方向）と、横方向に直交する縦方向（Ｙ方向）で形成されるＸＹ平面において、Ｌ字形（カギ形）の平面形状を有するシート状又は平板状に形成されている。図１の例では、ＬＥＤ照明装置１０は、Ｙ方向に伸びる部分Ａと、Ｘ方向に伸びる部分Ｂ及びＣとを有している。
【００２０】
ＬＥＤ照明装置１０は、平面において一様に分布するように配列された複数のＬＥＤ１１を備えている。図１の例では、部分Ａと、部分Ｂ及びＣのそれぞれにおいて、４列のＬＥＤ列が形成されている。但し、ＬＥＤ１１を設ける数、ＬＥＤの配列をなす列数及び行数は適宜設定可能である。また、ＬＥＤ１１の色は、単色であっても、複数の色の組み合わせであってもよい。また、白色ＬＥＤの色温度が調整可能となっていてもよい。
【００２１】
各ＬＥＤ１１は、電力の供給線１２（供給路の一例）を介して直並列に接続されており、供給線１２から供給される電力を受けて点灯する。部分Ｂ及び部分ＣのＸ方向における各端部には、供給線１２に電力を供給するための入力端子１３が接続されている。部分Ｃには、入力端子１３Ａが接続されており、部分Ｂには入力端子１３Ｂが設けられている。
【００２２】
入力端子１３Ａにはケーブル１４Ａが接続されており、その末端にはコネクタ１５が設けられている。一方、入力端子１３Ｂには、ケーブル１４Ｂが接続されており、その末端にはコネクタ１６が設けられている。本実施形態では、コネクタ１５はオス型で、コネクタ１６はメス型であるが、逆でもよい。このような構成によって、複数のＬＥＤ照明装置１０を用意し、二つのＬＥＤ照明装置１０間で、コネクタ１５とコネクタ１６とを接続することによって、ＬＥＤ照明装置１０を直列に接続することができる。
【００２３】
そして、入力端子１３Ａと入力端子１３Ｂとの一方をケーブル１４Ａ又はケーブル１４Ｂとの一方を用いて電源に接続することで、ＬＥＤ照明装置１０が電力を受電でき、ＬＥＤ照明装置１０が備える全てのＬＥＤ１１に駆動電力を供給することができる。例えば、電源のオンオフによって、各ＬＥＤ１１を点滅させることができる。このように、入力端子１３Ａと入力端子１３Ｂとのどちらからでも、電力を供給可能となっている。なお、以下の説明において、入力端子１３Ａと入力端子１３Ｂとを区別しない場合には入力端子１３との表記を用い、ケーブル１４Ａとケーブル１４Ｂとを区別しない場合にはケーブル１４との表記を用いる。入力端子１３Ａと入力端子１３Ｂとは、「二つの端子」の一例である。
【００２４】
入力端子１３Ａ及び入力端子１３Ｂの一方（例えば１３Ａ）を電源に接続し、他方（例えば１３Ｂ）を他のＬＥＤ照明装置１０と接続した場合、すなわち、複数のＬＥＤ照明装置１０を直列に接続した場合では、一方の入力端子１３Ａを介して電源から受電される電力は、供給線１２及び他方の入力端子１３Ｂを介して他のＬＥＤ照明装置１０へ供給（送電）され、他のＬＥＤ照明装置１０におけるＬＥＤの点灯に消費される。このとき、他の
ＬＥＤ照明装置１０にさらに別のＬＥＤ照明装置１０が接続されている場合には、その別のＬＥＤ照明装置１０へ電力が供給（送電）される。
【００２５】
図２において、ＬＥＤ照明装置１０は、以下のように構成されている。平面Ｌ字形の絶縁性シート２１とアルミ基板２２とが積層されて、基板２０が形成されている。アルミ基板２２の上面（表面）に、供給線１２（図２では省略）及び複数のＬＥＤ１１が配置され、アルミ基板２２の上面全体が、透明樹脂層２４（透明樹脂の一例）によりコーティングされている。これによって、供給線１２及びＬＥＤ１１が透明樹脂層２４で被覆され、封入された状態となっている。基板２０及び透明樹脂層２４は可撓性を有し、ＬＥＤ照明装置１０は、可撓性を有している。
【００２６】
例えば、ＬＥＤ照明装置１０は、一点鎖線で示す折り曲げ箇所Ｐ１において、約９０°山折りにして、部分Ａと部分Ｂとが約９０°折れ曲がって二つの平面をなす状態にすることができる。また、ＬＥＤ照明装置１０は、一点鎖線で示す折り曲げ箇所Ｐ２において、約９０°山折りにし、部分Ｂと部分Ｃとが約９０°折れ曲がって二つの平面をなす状態にすることができる。
【００２７】
なお、本実施形態では、二つの折り曲げ箇所の折り曲げによって、部分Ａ、部分Ｂ、部分Ｃが異なる平面をなすようにする例が示されているが、折り曲げ箇所の数は二つより多くてもよい。
【００２８】
また、基板２０及び樹脂層２４を挟むように入力端子１３Ｂが設けられ、ケーブル１４Ｂ内の電線と供給線１２とが電気的に接続される。なお、入力端子１３及びケーブル１４の外面は絶縁体で覆われている。
【００２９】
図３は、ＬＥＤ照明装置１０を用いた、ＬＥＤ照明システムの一例を示す。図３において、ＬＥＤ照明システム１００は、直列に接続された複数のＬＥＤ照明装置１０と、ＬＥＤ照明装置１０に接続されたコントローラ３０と、コントローラ３０に接続されたＤＣ−ＤＣコンバータ３４と、ＤＣ−ＤＣコンバータ３４に接続されたバッテリ３５とを備えている。
【００３０】
複数のＬＥＤ照明装置１０は、一例として、ＤＣ１２Ｖで動作するように構成されている。ＤＣ−ＤＣコンバータ３４は、バッテリ３５からのＤＣ２４ＶをＤＣ１２Ｖに変換する回路である。バッテリ３５及びＤＣ−ＤＣコンバータ３４の代わりに、ＤＣ１２Ｖのバッテリがコントローラ３０に接続される構成を採用してもよい。バッテリ３５からの電力は、ＤＣ−ＤＣコンバータ３４でＤＣ１２Ｖに変換され、コントローラ３０によって、所定の大きさ及びタイミングで、ＬＥＤ照明装置１０ａに供給される。ＬＥＤ照明装置１０ａに供給された電力は、ケーブル１７を介して隣のＬＥＤ照明装置１０ｂに供給され、ＬＥＤ照明装置１０ｂの各ＬＥＤ１１に供給される。同様に、ＬＥＤ照明装置１０ｂから電力は、ＬＥＤ照明装置１０ｃの各ＬＥＤ１１に供給されるとともに、ケーブル１７を介してＬＥＤ照明装置１０ｄに供給され、ＬＥＤ照明装置１０ｄの各ＬＥＤ１１に供給される。
【００３１】
図３に示すＬＥＤ照明システム１００では、一例として四つのＬＥＤ照明装置１０ａ、１０ｂ、１０ｃ、１０ｄからなるＬＥＤ照明装置群が例示されている。四つのＬＥＤ照明装置１０は、図１に示したＬＥＤ照明装置１０が四つ直列接続されたものであってもよい。但し、ＬＥＤ照明装置群では、ＬＥＤ照明装置１０ａと１０ｂとの間、ＬＥＤ照明装置１０ｂと１０ｃとの間、ＬＥＤ照明装置１０ｃと１０ｄとの間が固定ケーブル１７で接続され、四つのＬＥＤ照明装置１０ａ、１０ｂ、１０ｃ、１０ｄが一つのモジュールとして扱われる。
【００３２】
ＬＥＤ照明装置群をなすＬＥＤ照明装置１０ａ、１０ｂ、１０ｃ、１０ｄのうち、一端（図３の右端）にあるＬＥＤ照明装置１０ａ（第１のＬＥＤ照明装置の一例）には、入力端子１３Ａ、ケーブル１４Ａ及びコネクタ１５が接続されている。一方、他端（図３の左端）にあるＬＥＤ照明装置１０ｄ（第２のＬＥＤ照明装置の一例）には、入力端子１３Ｂ、ケーブル１４Ｂ及びコネクタ１６が接続されている。これによって、ＬＥＤ照明装置１０ａ及びＬＥＤ照明装置１０ｄのそれぞれには、図１に示した単体のＬＥＤ照明装置１０を直列に接続することができる。入力端子１３Ａ及び入力端子１３Ｂのそれぞれは、「電力供給用の端子」の一例である。
【００３３】
図３に示すＬＥＤ照明システム１００では、ＬＥＤ照明装置１０ａが、入力端子１３Ａ、ケーブル１４Ａ及びコネクタ１５を介してコントローラ３０に接続されている。コントローラ３０は、操作部（操作子）の一例として、点滅ボタン３１と、輝度の調整ボタン３２と、速度の調整ボタン３３とを有している。
【００３４】
点滅ボタン３１は、ＬＥＤ１１の常時点灯と点滅との切り替えボタンである。点滅ボタン３１を一度押し下げると、ＬＥＤ１１が点滅状態（点滅オン）となり、再度押し下げると、ＬＥＤ１１が点灯状態（点滅オフ）となる。点滅の制御（電力供給のオンオフ）が、コントローラ３０に内蔵された集積回路によって行われる。
【００３５】
輝度の調整ボタン３２は、ＬＥＤ１１の輝度の切り替えボタンである。例えば、一度調整ボタン３２が押されると、ＬＥＤ１１の輝度が低下し、再度調整ボタン３２が押されると、輝度が元に戻る。輝度の調整は、例えば、コントローラ３０に内蔵された集積回路が、ＬＥＤ１１に供給する時間当たりの電力（時間当たりの平均電流）を変更することで行うことができる。
【００３６】
また、点滅オンの状態で、調整ボタン３３が一度押されると、点滅の速度が早くなり、再度押されると、速度が元に戻る。速度の調整は、例えば、コントローラ３０に内蔵された集積回路が、ＬＥＤ１１に対する電力供給のオンオフタイミングを早めたり遅くしたりすることで行われる。
【００３７】
なお、輝度及び点滅速度の調整段階は２段階であるが、３段階以上にしてもよい。また、点滅ボタン３１と輝度の調整ボタン３２との一方が省略されてもよい。また、点滅ボタン３１が用意されている場合において、速度の調整ボタン３３は省略されてもよい。また、コントローラ３０は、点滅、輝度、点滅速度以外を制御するものであってもよい。また、ボタンの代わりに、ダイヤルやスライドスイッチを採用してもよい。
【００３８】
図４は、ＬＥＤ照明システムの使用例の説明図である。ＬＥＤ照明システム１００は、高所作業車の作業床に適用される。高所作業車は、例えば、トラック式作業車であり、その荷台部分に、ブーム６０を有している。ブーム６０は、その起伏（昇降）、伸縮、旋回によって、ブーム６０の先端に設けられたバケット４０を昇降させる。
【００３９】
本実施形態では、バケット４０は、床面をなす矩形の底壁４０ａと、底壁４０ａの４辺の外縁から立ち上がった側壁４０ｂ、４０ｃ、４０ｄ、４０ｅとを有する、上面が開口した箱形に形成されている。バケット４０の内部に、人（作業者）や荷が載せられる。
【００４０】
バケット４０の下部は、底壁４０ａと、底壁４０ａに連続する二つの側壁によって、四つのコーナーが形成されている。具体的には、底壁４０ａの下面と、側壁４０ｅ及び側壁４０ｂの各外面とによって、コーナーＣ１が形成されている。また、底壁４０ａの下面と、側壁４０ｂ及び側壁４０ｃの各外面とによって、コーナーＣ２が形成されている。また
、底壁４０ａの下面と、側壁４０ｃ及び側壁４０ｄの各外面とによって、コーナーＣ３が形成されている。また、底壁４０ａの下面と、側壁４０ｄ及び側壁４０ｅの各外面とによって、コーナーＣ４が形成されている。底壁４０ａと、底壁４０ａに連続する二つの側壁は、構造物のコーナーをなす三面の一例である。
【００４１】
図３に示したＬＥＤ照明装置１０ａ、１０ｂ、１０ｃ、１０ｄのそれぞれは、コーナーＣ１、Ｃ２、Ｃ３、Ｃ４に取り付けられる。すなわち、ＬＥＤ照明システム１００は、複数のＬＥＤ照明装置１０として、高所作業車の作業床（バケット４０）の下部のコーナーＣ１〜Ｃ４の数（４）に対応する数のＬＥＤ照明装置１０ａ、１０ｂ、１０ｃ、１０ｄを備える。ＬＥＤ照明装置１０ａ、１０ｂ、１０ｃ、１０ｄのそれぞれについて、図１を用いて説明したように、一点鎖線で示す折り曲げ箇所Ｐ１において、約９０°山折りにして、部分Ａと部分Ｂとが約９０°折れ曲った二つの平面をなす状態にする。また、折り曲げ箇所Ｐ２にて約９０°山折りにし、部分Ｂと部分Ｃとが約９０°折れ曲がった二つの平面をなす状態にする。このような状態で、部分Ａ、Ｂ及びＣを、コーナーをなす三面の各面に取り付ける。取り付け方法は、ボルトやネジ、両面テープなどの固定具でバケット４０に固定してもよく、接着剤で固定してもよい。取り付けは、脱着可能な状態でも永久的な固定であってもよい。
【００４２】
図４に示す例では、コーナーＣ１に対応するＬＥＤ照明装置１０ａの部分Ａが底壁４０ａの下面に取り付けられ、部分Ｂが側壁４０ｂの外面に取り付けられ、部分Ｃが側壁４０ｅの外面に取り付けられている。また、コーナーＣ２に対応するＬＥＤ照明装置１０ｂの部分Ａが底壁４０ａの下面に取り付けられ、部分Ｂが側壁４０ｃの外面に取り付けられ、部分Ｃが側壁４０ｂの外面に取り付けられている。また、コーナーＣ３に対応するＬＥＤ照明装置１０ｃの部分Ａが底壁４０ａの下面に取り付けられ、部分Ｂが側壁４０ｃの外面に取り付けられ、部分Ｃが側壁４０ｄの外面に取り付けられている。また、コーナーＣ４に対応するＬＥＤ照明装置１０ｄの部分Ａが底壁４０ａの下面に取り付けられ、部分Ｂが側壁４０ｅの外面に取り付けられ、部分Ｃが側壁４０ｄの外面に取り付けられている。
【００４３】
なお、部分Ａが「第１の部分」の一例であり、部分Ａが取り付けられる底壁４０ａの下面が「第１の面」の一例である。また、部分Ｂが「第２の部分」の一例であり、部分Ｂが取り付けられる面が「第２の面」の一例である。また、部分Ｃが「第３の部分」の一例であり、部分Ｃが取り付けられる面が「第３の面」の一例である。
【００４４】
図４では、ケーブル１７、１４Ａ及び１４Ｂの図示は省略している。バッテリ３５からの電力がコントローラ３０を介してＬＥＤ照明装置１０ａ、１０ｂ、１０ｃ、１０ｄに供給されることによって、それぞれが備える複数のＬＥＤ１１が、点灯乃至点滅する。輝度及び点滅の速度は、コントローラ３０の操作によって変更できる。
【００４５】
実施形態に係るＬＥＤ照明装置１０を含むＬＥＤ照明システム１００によれば、バケット４０のコーナーＣ１〜Ｃ４のそれぞれを、下面からみても、側方から見ても、視認することができる。すなわち、構造物たるバケット４０の暗所での視認性が向上する。よって、暗所でバケット４０を昇降させる場合において、バケット４０の下部のコーナーＣ１〜Ｃ４がどの位置にあるのかを、容易に視認することができ、安全且つ確実な昇降作業を行うことが可能となる。
【００４６】
本実施形態では、バケット４０の４つのコーナーの全てにＬＥＤ照明装置１０を設けた例を示したが、ＬＥＤ照明装置群をなすＬＥＤ照明装置１０の数は、四つより多くても少なくてもよい。実施形態で説明した構成は適宜組み合わせることができる。
【符号の説明】
【００４７】
１０・・・ＬＥＤ照明装置
１１・・・ＬＥＤ
１２・・・供給線
１３・・・入力端子
１４・・・ケーブル
１５、１６・・・コネクタ
３０・・・コントローラ
３４・・・ＤＣ−ＤＣコンバータ
３５・・・バッテリ
４０・・・バケット（作業床）
１００・・・ＬＥＤ照明システム
【図１】
0003220522.tif 000003
【図２】
0003220522.tif 000004
【図３】
0003220522.tif 000005
【図４】
0003220522.tif 000006